(57)【要約】【課題】  １つの記憶システムで略リアルタイムに２パス制御可能な光学情報記録再生装置を提供する。【解決手段】  第１の圧縮レートの圧縮入力信号の第１の一時記憶手段９Ａと、入力信号の圧縮時の難易度抽出手段１２と、第１の一時記憶手段の記憶量監視手段１１と、光記録媒体から読み出した信号の第２の一時記憶手段９Ｂとを有し、記憶量監視手段が第１の記録基準値を検出に応答し光記録媒体への仮書き込みを開始し、記憶量監視手段が第１の記録基準値よりも小さい第２の記録基準値の検出に応答し光記録媒体への仮書込みの該仮書き込みの中断期間中に、光記録媒体に先に仮書込み信号を読出し、この読出信号を難易度検出手段が抽出した難易度に応じた圧縮レートで再圧縮し、第２の一時記憶手段から読出した再圧縮信号を前記光記録媒体へ本書き込みする。光記録媒体への記録時に、１つの記憶システムで略リアルタイムに２パス制御可能である。【選択図】  図１
2004265577.tif 000002
【特許請求の範囲】
【請求項１】
音声や映像等の入力信号を所定のブロック単位で第一の圧縮レートで圧縮する圧縮手段と、
この圧縮時にデータの難易度を抽出する難易度抽出手段と、
この難易度を記憶する難易度記憶手段と、
圧縮した第一のデータを一時記憶手段に順次格納する手投と、
第二の記憶手段の領域を管理する手段と、
前記一時記憶手段に格納されたデータが所定の量になった段階で格納したデータを前記第二の記憶手段の所定の領域に書き込む手段と、
前記一時記憶手段に格納している段階中に、前記第二の記憶手段に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを有し、
前記第二の圧縮手段で圧縮したデータを、前記第二の記憶手段の記憶領域に記録することを特徴とする記録装置。
【請求項２】
音声や映像等の入力信号を所定のブロック単位で第一の圧縮レートで圧縮する圧縮手段と、
この圧縮時にデータの符号量を抽出する符号量抽出手段と、
この符号量を記憶する符号量記憶手段と、
圧縮した第一のデータを一時記憶手投に順次格納する手段と、
第二の記憶手段の領域を管理する手段と、
前記一時記憶手段に格納されたデータが所定の量になった段階で格納したデータを前記第二の記憶手段の所定の領域に書き込む手段と、
前記一時記憶手段に格納している段階中に、前記第二の記憶手段に格納された圧縮データを読み出し、前記符号量記憶手段に記憶された符号量に応じて、この圧縮データを前記第一の圧縮レートよりも同じあるいは高い圧縮レートで再度圧縮する第二の圧縮手段とを有し、
前記第二の圧縮手段で圧縮したデータを、前記第二の記憶手段の記憶領域に記録することを特徴とする記録装置。
【請求項３】
光学的に記録可能な光学情報記録媒体上に、デジタル信号を記録再生する光学情報記録再生装置であって、
光学的にトラックから情報を記録再生するためのレーザー発生手段と、
反射光を複数に分割したセンサーにて検出するピックアップ手段と、
それぞれの信号を演算して再生信号及びサーボエラー信号を得る手段と、
信号面にフォーカスするフォーカス制御手段と、
前記トラックにトラッキングするトラッキング制御手段と、
記録信号を所定のブロック単位で第一の圧縮レートで圧縮する圧縮手段と、
この圧縮時にデータの難易度を抽出する難易度抽出手段と、
この難易度を記憶する難易度記憶手段と、
圧縮した記録信号を一時記憶する一時記憶手段と、
前記一時記憶手段に記憶されているデータ量を管理するデータ残量管理手段と、
圧縮した記録信号を前記光学情報記録媒体に記録するように制御する記録手段と、
前記光学情報記録媒体に記録している領域を管理する領域管理手段と、
前記一時記憶手段に格納している段階中に、前記光学情報記録媒体に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを有し、
前記第二の圧縮手段で圧縮したデータを、所定のブロック単位が前記光学情報記録媒体上で前記領域管理手段により連続的につながるように記録することを特徴とする光学情報記録再生装置。
【請求項４】
光学的に記録可能な光学情報記録媒体上に、デジタル信号を記録再生する光学情報記録再生装置であって、
光学的にトラックから情報を記録再生するためのレーザー発生手投と、
反射光を複数に分割したセンサーにて検出するピックアップ手段と、
それぞれの信号を演算して再生信号及びサーボエラー信号を得る手段と、
信号面にフォーカスするフォーカス制御手段と、
前記トラックにトラッキングするトラッキング制御手投と、
記録信号を所定のブロック単位で第一の圧縮レートで圧縮する圧縮手段と、
この圧縮時にデータの符号量を抽出する符号量抽出手段と、
この符号量を記憶する符号量記憶手段と、
圧縮した記録信号を一時記憶する一時記憶手段と、
前記一時記憶手投に記憶されているデータ量を管理するデータ残量管理手段と、
圧縮した記録信号を前記光学情報記録媒体に記録するように制御する記録手投と、
前記光学情報記録媒体に記録している領域を管理する領域管理手段と、
前記一時記憶手段に格納している段階中に、前記光学情報記録媒体に格納された圧縮データを読み出し、前記符号量記憶手段に記憶された符号量に応じて、この圧縮データを前記第一の圧縮レートよりも同じあるいは高い圧縮レートで再度圧縮する第二の圧縮手段とを有し、
前記第二の圧縮手段で圧縮したデータを、所定のブロック単位が前記光学情報記録媒体上で前記領域管理手段により連続的につながるように記録することを特徴とする光学情報記録再生装置。
【請求項５】
音声や映像等の入力信号を所定のブロック単位で第一の圧縮レートで圧縮する圧縮手段と、圧縮した第一のデータを一時記憶手段に順次格納する手段と、前記一時記憶手投に格納されたデータが所定の量になった段階で格納したデータを第二の記憶手段に書き込む手段とを備えた第一のシステムと、
音声や映像等の入力信号を所定のブロック単位で第一の圧縮レートで圧縮する圧縮手段と、この圧縮時にデータの難易度を抽出する難易度抽出手段と、この難易度を記憶する難易度記憶手段と、圧縮した第一のデータを一時記憶手段に順次格納する手段と、前記一時記憶手段に格納されたデータが所定の量になった段階で格納したデータを第二の記憶手投に書き込む手段と、前記一時記憶手段に格納している段階中に、前記第二の記憶手段に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを備え、前記第二の圧縮手段で圧縮したデータを前記第二の記憶手投に記憶する第二のシステムとを有し、
音声や映像等の入力信号の性質又は圧縮モードの設定に応じて、どちらかのシステムを選択することを特徴とする記録装置。
【請求項６】
音声や映像等の入力信号を所定のブロック単位で第一の圧縮レートで圧縮する圧縮手段と、圧縮した第一のデータを一時記憶手段に順次格納する手段と、前記一時記憶手段に格納されたデータが所定の量になった段階で格納したデータを第二の記憶手段に書き込む手段とを備えた第一のシステムと、
音声や映像等の入力信号を所定のブロック単位で第一の圧縮レートで圧縮する圧縮手投と、この圧縮時にデータの符号量を抽出する符号量抽出手段と、この符号量を記憶する符号量記憶手段と、圧縮した第一のデータを一時記憶手段に順次格納する手段と、前記一時記憶手投に格納されたデータが所定の量になった段階で格納したデータを第二の記憶手段に書き込む手段と、前記第一の記憶手段に格納している段階中に、前記第二の記憶手段に格納された圧縮データを読み出し、前記符号量記憶手段に記憶された符号量に応じて、この圧縮データを前記第一の圧縮レートよりも同じあるいは高い圧縮レートで再度圧縮する第二の圧縮手段とを備え、前記第二の圧縮手段で圧縮したデータを前記第二の記憶手段に記憶する第二のシステムとを有し、
音声や映像等の入力信号の性質又は圧縮モードの設定に応じて、どちらかのシステムを選択することを特徴とする記録装置。
【請求項７】
光学的に記録可能な光学情報記録媒体上に、デジタル信号を記録再生する光学情報記録再生装置であって、
光学的にトラックから情報を記録再生するためのレーザー発生手投と、反射光を複数に分割したセンサーにて検出するピックアップ手段と、それぞれの信号を演算して再生信号及びサーボエラー信号を得る手投と、信号面にフォーカスするフォーカス制御手段と、前記トラックにトラッキングするトラッキング制御手投と、記録信号を所定のブロック単位で第一の圧縮レートで圧縮する圧縮手段と、圧縮した記録信号を一時記憶する一時記憶手段と、前記一時記憶手投に記憶されているデータ量を管理するデータ残量管理手投と、圧縮した記録信号を前記光学情報記録媒体に記録するように制御する記録手段とを備えた第一のシステムと、
記録信号を所定のブロック単位で第一の圧縮レートで圧縮する圧縮手段と、この圧縮時にデータの難易度を抽出する難易度抽出手段と、この難易度を記憶する難易度記憶手段と、圧縮した記録信号を一時記憶する一時記憶手投と、前記一時記憶手段に記憶されているデータ量を管理するデータ残量管理手段と、圧縮した記録信号を前記光学情報記録媒体に記録するように制御する記録手段と、前記一時記憶手投に格納している段階中に、前記光学情報記録媒体に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを備え、前記第二の圧縮手段で圧縮したデータを所定のブロック単位が前記光学情報記録媒体上で連続的につながるように記録する第二のシステムとを有し、
音声や映像等の入力信号の性質又は圧縮モードの設定又は前記光学情報記録媒体の状態に応じて、どちらかのシステムを選択することを特徴とする光学情報記録再生装置。
【請求項８】
光学的に記録可能な光学情報記録媒体上に、デジタル信号を記録再生する光学情報記録再生装置であって、
光学的にトラックから情報を記録再生するためのレーザー発生手段と、反射光を複数に分割したセンサーにて検出するピックアップ手投と、それぞれの信号を演算して再生信号及びサーボエラー信号を得る手段と、信号面にフォーカスするフォーカス制御手段と、前記トラックにトラッキングするトラッキング制御手段と、記録信号を所定のブロック単位で第一の圧縮レートで圧縮する圧縮手段と、圧縮した記録信号を一時記憶する一時記憶手段と、前記一時記憶手段に記憶されているデータ量を管理するデータ残量管理手段と、圧縮した記録信号を前記光学情報記録媒体に記録するように制御する記録手段とを備えた第一のシステムと、
記録信号を所定のブロック単位で第一の圧縮レートで圧縮する圧縮手段と、この圧縮時にデータの符号量を抽出する符号量抽出手段と、この符号量を記憶する符号量記憶手投と、圧縮した記録信号を一時記憶する一時記憶手段と、前記一時記憶手段に記憶されているデータ量を管理するデータ残量管理手段と、圧縮した記録信号を前記光学情報記録媒体に記録するように制御する記録手段と、前記一時記憶手段に格納している段階中に、前記光学情報記録媒体に格納された圧縮データを読み出し、前記符号量記憶手段に記憶された符号量に応じて、この圧縮データを前記第一の圧縮レートよりも同じあるいは高い圧縮レートで再度圧縮する第二の圧縮手投とを備え、ここで圧縮したデータを、所定のブロック単位が前記光学情報記録媒体上で連続的につながるように、記憶する第二のシステムとを有し、
音声や映像等の入力信号の性質又は圧縮モードの設定又は前記光学情報記録媒体の状態に応じて、どちらかのシステムを選択することを特徴とする光学情報記録再生装置。
【請求項９】
音声や映像等の入力信号を所定のブロック単位で第一の圧縮レートで圧縮する圧縮段階と、
この圧縮時にデータの難易度を抽出する難易度抽出段階と、
この難易度を記憶する難易度記憶段階と、
圧縮した第一のデータを一時記憶手段に順次格納する段階と、
前記一時記憶手段に格納されたデータが所定の量になった段階で格納したデータを第二の記憶手段に書き込む段階であって、前記一時記憶手投に格納している段階中に、前記第二の記憶手段に格納された圧縮データを読み出す段階と、
前記難易度記憶段階に記憶された難易度値に応じて、この圧縮データを前記第一の圧縮レートよりも同じあるいは高い圧縮レートで再度圧縮する第二の圧縮段階と、
前記第二の圧縮段階で圧縮したデータを、前記第二の記憶手段に記憶する段階と、
からなることを特徴とする記録方法。
【請求項１０】
音声や映像等の入力信号を所定のブロック単位で第一の圧縮レートで圧縮する圧縮段階と、
この圧縮時にデータの符号量を抽出する符号量抽出段階と、
この符号量を記憶する符号量記憶段階と、
圧縮した第一のデータを一時記憶手段に順次格納する段階と、
前記一時記憶手投に格納されたデータが所定の量になった段階で格納したデータを第二の記憶手投に書き込む段階であって、前記一時記憶手段に格納している段階中に、前記第二の記憶手段に格納された圧縮データを読み出す段階と、
前記符号量記憶段階に記憶された符号量に応じて、この圧縮データを前記第一の圧縮レートよりも同じあるいは高い圧縮レートで再度圧縮する第二の圧縮段階と、
前記第二の圧縮段階で圧縮したデータを、前記第二の記憶手投に記憶する段階と、
からなることを特徴とする記録方法。
【請求項１１】
光学的に記録可能な光学情報記録媒体上に、デジタル信号を記録する光学的記録方法であって、
ピックアップを信号面にフォーカスするフォーカス制御段階と、
前記ピックアップをトラックにトラッキングするトラッキング制御段階と、
記録信号を所定のブロック単位で第一の圧縮レートで圧縮する圧縮段階と、
この圧縮時にデータの難易度を抽出する難易度抽出段階と、
この難易度を記憶する難易度記憶段階と、
圧縮した記録信号を一時記憶する一時記憶段階と、
前記一時記憶手段に記憶されているデータ量を管理するデータ残量管理段階と、
前記ピックアップを前記光学的記録媒体の第一の領域に移動する段階と、
圧縮した記録信号を前記光学的記録媒体の前記第一の領域に記録するように制御する記録段階と、
前記一時記憶手段に格納している段階中に、前記ピックアップを前記光学的記録媒体の前記第一の領域に移動する段階と、
前記光学的記録媒体に格納された圧縮データを読み出す段階と、
前記難易度記憶段階で記憶された難易度値に応じて、この圧縮データを前記第一の圧縮レートよりも同じあるいは高い圧縮レートで再度圧縮する第二の圧縮段階と、
前記第二の圧縮段階で圧縮したデータを、所定のブロック単位が前記光学的記録媒体上で連続的につながるように、前記ピックアップを前記光学的記録媒体の第二の領域に移動する段階と、
前記第二の領域に移動したデータを記憶する段階と
からなることを特徴とする光学的記録方法。
【請求項１２】
光学的に記録可能な光学情報記録媒体上に、デジタル信号を記録する光学的記録方法であって、
ピックアップを信号面にフォーカスするフォーカス制御段階と、
前記ピックアップをトラックにトラッキングするトラッキング制御段階と、
記録信号を所定のブロック単位で第一の圧縮レートで圧縮する圧縮段階と、
この圧縮時にデータの符号量を抽出する符号量抽出段階と、
この符号量を記憶する符号量記憶段階と、
圧縮した記録信号を一時記憶手段に記録する一時記憶段階と、
前記一時記憶手段に記憶されているデータ量を管理するデータ残量管理段階と、
前記ピックアップを前記光学的記録媒体の第一の領域に移動する段階と、
圧縮した記録信号を前記光学的記録媒体の前記第一の領域に記録するように制御する記録段階と、
前記一時記憶手段に格納している段階中に、前記ピックアップを前記光学的記録媒体の前記第一の領域に移動する段階と、
前記光学的記録媒体に格納された圧縮データを読み出す段階と、
前記符号量記憶段階で記憶された符号量に応じて、この圧縮データを前記第一の圧縮レートよりも同じあるいは高い圧縮レートで再度圧縮する第二の圧縮段階と、
前記第二の圧縮段階で圧縮したデータを、所定のブロック単位が前記光学的記録媒体上で連続的につながるように、前記ピックアップを前記光学的記録媒体の第二の領域に移動する段階と、
前記第二の領域に移動したデータを記憶する段階と
からなることを特徴とする光学的記録方法。
【発明の詳細な説明】
【技術分野】
【０００１】
本発明は、ＨＤＤ、ＭＯ、ＤＶＤ−ＲＡＭ、ＤＶＤ−ＲＷ等の記録再生を行うことのできる記録再生装置であって、データに対して圧縮伸長等を行うための記録装置、記録方法、光学情報記録再生装置、光学的記録方法に関するものである。
【背景技術】
【０００２】
一般に、従来のポータブルＤＶＤプレーヤ等のようにデータの圧縮伸長技術を用いる記録再生装置、例えばＭＤにおいては、約１０秒間に相当する４ＭＢ（ヒ゛ット）のショックプルーフメモリを有しており、このメモリにてデータを一時記憶することを利用し、メモリから音楽信号が再生されている間に、ピックアップをキックして次に再生するセクタに対して回転待ちしている。記録時は、記録信号を一時的にメモリに圧縮後一時記憶し、この信号を読み出しつつ間欠的にディスクに記録し、ピックアップとして余った時間は、キックして次に記録するセクタに対して回転待ちしている。
【０００３】
また、例えばＤＶＤプレーヤにおいては同様に、４ＭＢの一時記憶メモリを持っていて、信号の転送は可変転送レートで行なわれ、例えば８Ｍｂｐｓの転送速度の時には、０．５秒程度に対応する記憶時間を持っていて、同様にキックして回転待ちをしている。現在では、このような一時記憶メモリとして６４ＭＢ或いは、それ以上の記憶容量のＤＲＡＭを使用するのが一般的となってきており、一時記憶時間としても、２秒或いはそれ以上の時間を確保することが安価にできる。ちなみに６４ＭＢ（ビット）では、８Ｍｂｐｓで８秒の記憶時間を持ち、２５６ＭＢで８．８Ｍｂｐｓで３２秒の記憶時間を持つことになる。このように一時記憶メモリを持っていて、これを利用して、１つの転送レートの信号を記録再生する技術は例えば特開昭５９−１７２１６９号公報や、特開平５−１２８５３１号公報等において開示されている。
【特許文献１】特開昭５９−１７２１６９号公報
【特許文献２】特開平  ５−１２８５３１号公報
【特許文献３】特開平１０−  ９８７１０号公報
【発明の開示】
【発明が解決しようとする課題】
【０００４】
ところで、レーザー光線を利用して高密度な情報の再生あるいは記録を行う技術は上述のように公知であり、主に光ディスクとして実用化されている。光ディスクは再生専用型、追記型、書き換え型に大別することができる。再生専用型は音楽情報を記録したコンパクト・ディスクや画像情報を記録したＶＣＤ、ＤＶＤ等として、また追記型はＣＤ−Ｒ、ＤＶＤ−Ｒ等として商品化されている。現在では書き換え型として、ＣＤ−ＲＷやＤＶＤ−ＲＡＭ、ＤＶＤ−ＲＷ等が映像、音声記録やパソコン用のデータファイル等として商品化されつつある。
【０００５】
そして、画像信号や音声信号の圧縮にはＭＰＥＧを用いることが一般的になり、この中で、圧縮を効率的に行うために、ＶＢＲ（バリアブルビットレート）や、１パス、２パス技術が開発されている。例えばこの２パス技術では、ＤＶＤビデオディスクを作成する時点で記録すべき信号を一旦ＨＤＤ等に記憶し、これをある程度の時間をかけてリアルタイムで無い状態で再圧縮して再記録することによってデータは製作されるが、ビデオムービー等の機器でリアルタイムにこれを実現する方法は無く、ユーザーが実際に記録している時間の中で、効率よく圧縮することが出来ず、問題であった。関連する特許として特開平１０−９８７１０号公報に開示された技術が存在する。これは上記した技術に関連する内容であるが、やはりリアルタイムにこれを実現する技術については開示されていない。
【０００６】
この公報の技術は、ＨＤＤ等の別の大掛かりな記憶装置を用い２パス制御を行なう点が開示されているだけであり、前述した２パス制御をリアルタイムで実現する技術や、実質的に記憶媒体の形式が１つの記憶媒体を用いて実現する技術については開示されていない。
【０００７】
本発明は以上のような問題点に着目し、これを有効に解決すべく創案されたものである。本発明の目的は、光記録媒体への記録時に、１つの記憶システムで略リアルタイムに２パス制御を行なうことができる光学情報の記録再生装置を提供することにある。本発明の他の目的は、１つの記憶システムでユーザーが気付かない間に例えば、夜間等の空き時間中に、２パス制御を行なうことができる、記録装置、記録方法、光学情報記録再生装置、光学的記録方法を提供することにある。
【課題を解決するための手段】
【０００８】
上述した課題を解決するために、本発明は、次の構成になる記録装置、記録方法、光学情報記録再生装置、光学的記録方法を提供する。
（１）  音声や映像等の入力信号を所定のブロック単位で第一の圧縮レートで圧縮する圧縮手段と、
この圧縮時にデータの難易度を抽出する難易度抽出手段と、
この難易度を記憶する難易度記憶手段と、
圧縮した第一のデータを一時記憶手段に順次格納する手投と、
第二の記憶手段の領域を管理する手段と、
前記一時記憶手段に格納されたデータが所定の量になった段階で格納したデータを前記第二の記憶手段の所定の領域に書き込む手段と、
前記一時記憶手段に格納している段階中に、前記第二の記憶手段に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを有し、
前記第二の圧縮手段で圧縮したデータを、前記第二の記憶手段の記憶領域に記録することを特徴とする記録装置。
（２）  音声や映像等の入力信号を所定のブロック単位で第一の圧縮レートで圧縮する圧縮手段と、
この圧縮時にデータの符号量を抽出する符号量抽出手段と、
この符号量を記憶する符号量記憶手段と、
圧縮した第一のデータを一時記憶手投に順次格納する手段と、
第二の記憶手段の領域を管理する手段と、
前記一時記憶手段に格納されたデータが所定の量になった段階で格納したデータを前記第二の記憶手段の所定の領域に書き込む手段と、
前記一時記憶手段に格納している段階中に、前記第二の記憶手段に格納された圧縮データを読み出し、前記符号量記憶手段に記憶された符号量に応じて、この圧縮データを前記第一の圧縮レートよりも同じあるいは高い圧縮レートで再度圧縮する第二の圧縮手段とを有し、
前記第二の圧縮手段で圧縮したデータを、前記第二の記憶手段の記憶領域に記録することを特徴とする記録装置。
（３）  光学的に記録可能な光学情報記録媒体上に、デジタル信号を記録再生する光学情報記録再生装置であって、
光学的にトラックから情報を記録再生するためのレーザー発生手段と、
反射光を複数に分割したセンサーにて検出するピックアップ手段と、
それぞれの信号を演算して再生信号及びサーボエラー信号を得る手段と、
信号面にフォーカスするフォーカス制御手段と、
前記トラックにトラッキングするトラッキング制御手段と、
記録信号を所定のブロック単位で第一の圧縮レートで圧縮する圧縮手段と、
この圧縮時にデータの難易度を抽出する難易度抽出手段と、
この難易度を記憶する難易度記憶手段と、
圧縮した記録信号を一時記憶する一時記憶手段と、
前記一時記憶手段に記憶されているデータ量を管理するデータ残量管理手段と、
圧縮した記録信号を前記光学情報記録媒体に記録するように制御する記録手段と、
前記光学情報記録媒体に記録している領域を管理する領域管理手段と、
前記一時記憶手段に格納している段階中に、前記光学情報記録媒体に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを有し、
前記第二の圧縮手段で圧縮したデータを、所定のブロック単位が前記光学情報記録媒体上で前記領域管理手段により連続的につながるように記録することを特徴とする光学情報記録再生装置。
（４）  光学的に記録可能な光学情報記録媒体上に、デジタル信号を記録再生する光学情報記録再生装置であって、
光学的にトラックから情報を記録再生するためのレーザー発生手投と、
反射光を複数に分割したセンサーにて検出するピックアップ手段と、
それぞれの信号を演算して再生信号及びサーボエラー信号を得る手段と、
信号面にフォーカスするフォーカス制御手段と、
前記トラックにトラッキングするトラッキング制御手投と、
記録信号を所定のブロック単位で第一の圧縮レートで圧縮する圧縮手段と、
この圧縮時にデータの符号量を抽出する符号量抽出手段と、
この符号量を記憶する符号量記憶手段と、
圧縮した記録信号を一時記憶する一時記憶手段と、
前記一時記憶手投に記憶されているデータ量を管理するデータ残量管理手段と、
圧縮した記録信号を前記光学情報記録媒体に記録するように制御する記録手投と、
前記光学情報記録媒体に記録している領域を管理する領域管理手段と、
前記一時記憶手段に格納している段階中に、前記光学情報記録媒体に格納された圧縮データを読み出し、前記符号量記憶手段に記憶された符号量に応じて、この圧縮データを前記第一の圧縮レートよりも同じあるいは高い圧縮レートで再度圧縮する第二の圧縮手段とを有し、
前記第二の圧縮手段で圧縮したデータを、所定のブロック単位が前記光学情報記録媒体上で前記領域管理手段により連続的につながるように記録することを特徴とする光学情報記録再生装置。
（５）  音声や映像等の入力信号を所定のブロック単位で第一の圧縮レートで圧縮する圧縮手段と、圧縮した第一のデータを一時記憶手段に順次格納する手段と、前記一時記憶手投に格納されたデータが所定の量になった段階で格納したデータを第二の記憶手段に書き込む手段とを備えた第一のシステムと、
音声や映像等の入力信号を所定のブロック単位で第一の圧縮レートで圧縮する圧縮手段と、この圧縮時にデータの難易度を抽出する難易度抽出手段と、この難易度を記憶する難易度記憶手段と、圧縮した第一のデータを一時記憶手段に順次格納する手段と、前記一時記憶手段に格納されたデータが所定の量になった段階で格納したデータを第二の記憶手投に書き込む手段と、前記一時記憶手段に格納している段階中に、前記第二の記憶手段に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを備え、前記第二の圧縮手段で圧縮したデータを前記第二の記憶手投に記憶する第二のシステムとを有し、
音声や映像等の入力信号の性質又は圧縮モードの設定に応じて、どちらかのシステムを選択することを特徴とする記録装置。
（６）  音声や映像等の入力信号を所定のブロック単位で第一の圧縮レートで圧縮する圧縮手段と、圧縮した第一のデータを一時記憶手段に順次格納する手段と、前記一時記憶手段に格納されたデータが所定の量になった段階で格納したデータを第二の記憶手段に書き込む手段とを備えた第一のシステムと、
音声や映像等の入力信号を所定のブロック単位で第一の圧縮レートで圧縮する圧縮手投と、この圧縮時にデータの符号量を抽出する符号量抽出手段と、この符号量を記憶する符号量記憶手段と、圧縮した第一のデータを一時記憶手段に順次格納する手段と、前記一時記憶手投に格納されたデータが所定の量になった段階で格納したデータを第二の記憶手段に書き込む手段と、前記第一の記憶手段に格納している段階中に、前記第二の記憶手段に格納された圧縮データを読み出し、前記符号量記憶手段に記憶された符号量に応じて、この圧縮データを前記第一の圧縮レートよりも同じあるいは高い圧縮レートで再度圧縮する第二の圧縮手段とを備え、前記第二の圧縮手段で圧縮したデータを前記第二の記憶手段に記憶する第二のシステムとを有し、
音声や映像等の入力信号の性質又は圧縮モードの設定に応じて、どちらかのシステムを選択することを特徴とする記録装置。
（７）  光学的に記録可能な光学情報記録媒体上に、デジタル信号を記録再生する光学情報記録再生装置であって、
光学的にトラックから情報を記録再生するためのレーザー発生手投と、反射光を複数に分割したセンサーにて検出するピックアップ手段と、それぞれの信号を演算して再生信号及びサーボエラー信号を得る手投と、信号面にフォーカスするフォーカス制御手段と、前記トラックにトラッキングするトラッキング制御手投と、記録信号を所定のブロック単位で第一の圧縮レートで圧縮する圧縮手段と、圧縮した記録信号を一時記憶する一時記憶手段と、前記一時記憶手投に記憶されているデータ量を管理するデータ残量管理手投と、圧縮した記録信号を前記光学情報記録媒体に記録するように制御する記録手段とを備えた第一のシステムと、
記録信号を所定のブロック単位で第一の圧縮レートで圧縮する圧縮手段と、この圧縮時にデータの難易度を抽出する難易度抽出手段と、この難易度を記憶する難易度記憶手段と、圧縮した記録信号を一時記憶する一時記憶手投と、前記一時記憶手段に記憶されているデータ量を管理するデータ残量管理手段と、圧縮した記録信号を前記光学情報記録媒体に記録するように制御する記録手段と、前記一時記憶手投に格納している段階中に、前記光学情報記録媒体に格納された圧縮データを読み出し、前記難易度記憶手段に記憶された難易度値に応じて、この圧縮データを前記第一の圧縮レートよりも同じあるいは高い圧縮レートで再度圧縮する第二の圧縮手段とを備え、前記第二の圧縮手段で圧縮したデータを所定のブロック単位が前記光学情報記録媒体上で連続的につながるように記録する第二のシステムとを有し、
音声や映像等の入力信号の性質又は圧縮モードの設定又は前記光学情報記録媒体の状態に応じて、どちらかのシステムを選択することを特徴とする光学情報記録再生装置。
(８)  光学的に記録可能な光学情報記録媒体上に、デジタル信号を記録再生する光学情報記録再生装置であって、
光学的にトラックから情報を記録再生するためのレーザー発生手段と、反射光を複数に分割したセンサーにて検出するピックアップ手投と、それぞれの信号を演算して再生信号及びサーボエラー信号を得る手段と、信号面にフォーカスするフォーカス制御手段と、前記トラックにトラッキングするトラッキング制御手段と、記録信号を所定のブロック単位で第一の圧縮レートで圧縮する圧縮手段と、圧縮した記録信号を一時記憶する一時記憶手段と、前記一時記憶手段に記憶されているデータ量を管理するデータ残量管理手段と、圧縮した記録信号を前記光学情報記録媒体に記録するように制御する記録手段とを備えた第一のシステムと、
記録信号を所定のブロック単位で第一の圧縮レートで圧縮する圧縮手段と、この圧縮時にデータの符号量を抽出する符号量抽出手段と、この符号量を記憶する符号量記憶手投と、圧縮した記録信号を一時記憶する一時記憶手段と、前記一時記憶手段に記憶されているデータ量を管理するデータ残量管理手段と、圧縮した記録信号を前記光学情報記録媒体に記録するように制御する記録手段と、前記一時記憶手段に格納している段階中に、前記光学情報記録媒体に格納された圧縮データを読み出し、前記符号量記憶手段に記憶された符号量に応じて、この圧縮データを前記第一の圧縮レートよりも同じあるいは高い圧縮レートで再度圧縮する第二の圧縮手投とを備え、ここで圧縮したデータを、所定のブロック単位が前記光学情報記録媒体上で連続的につながるように、記憶する第二のシステムとを有し、
音声や映像等の入力信号の性質又は圧縮モードの設定又は前記光学情報記録媒体の状態に応じて、どちらかのシステムを選択することを特徴とする光学情報記録再生装置。
（９）  音声や映像等の入力信号を所定のブロック単位で第一の圧縮レートで圧縮する圧縮段階と、
この圧縮時にデータの難易度を抽出する難易度抽出段階と、
この難易度を記憶する難易度記憶段階と、
圧縮した第一のデータを一時記憶手段に順次格納する段階と、
前記一時記憶手段に格納されたデータが所定の量になった段階で格納したデータを第二の記憶手段に書き込む段階であって、前記一時記憶手投に格納している段階中に、前記第二の記憶手段に格納された圧縮データを読み出す段階と、
前記難易度記憶段階に記憶された難易度値に応じて、この圧縮データを前記第一の圧縮レートよりも同じあるいは高い圧縮レートで再度圧縮する第二の圧縮段階と、
前記第二の圧縮段階で圧縮したデータを、前記第二の記憶手段に記憶する段階と、
からなることを特徴とする記録方法。
（１０）  音声や映像等の入力信号を所定のブロック単位で第一の圧縮レートで圧縮する圧縮段階と、
この圧縮時にデータの符号量を抽出する符号量抽出段階と、
この符号量を記憶する符号量記憶段階と、
圧縮した第一のデータを一時記憶手段に順次格納する段階と、
前記一時記憶手投に格納されたデータが所定の量になった段階で格納したデータを第二の記憶手投に書き込む段階であって、前記一時記憶手段に格納している段階中に、前記第二の記憶手段に格納された圧縮データを読み出す段階と、
前記符号量記憶段階に記憶された符号量に応じて、この圧縮データを前記第一の圧縮レートよりも同じあるいは高い圧縮レートで再度圧縮する第二の圧縮段階と、
前記第二の圧縮段階で圧縮したデータを、前記第二の記憶手投に記憶する段階と、
からなることを特徴とする記録方法。
（１１）  光学的に記録可能な光学情報記録媒体上に、デジタル信号を記録する光学的記録方法であって、
ピックアップを信号面にフォーカスするフォーカス制御段階と、
前記ピックアップをトラックにトラッキングするトラッキング制御段階と、
記録信号を所定のブロック単位で第一の圧縮レートで圧縮する圧縮段階と、
この圧縮時にデータの難易度を抽出する難易度抽出段階と、
この難易度を記憶する難易度記憶段階と、
圧縮した記録信号を一時記憶する一時記憶段階と、
前記一時記憶手段に記憶されているデータ量を管理するデータ残量管理段階と、
前記ピックアップを前記光学的記録媒体の第一の領域に移動する段階と、
圧縮した記録信号を前記光学的記録媒体の前記第一の領域に記録するように制御する記録段階と、
前記一時記憶手段に格納している段階中に、前記ピックアップを前記光学的記録媒体の前記第一の領域に移動する段階と、
前記光学的記録媒体に格納された圧縮データを読み出す段階と、
前記難易度記憶段階で記憶された難易度値に応じて、この圧縮データを前記第一の圧縮レートよりも同じあるいは高い圧縮レートで再度圧縮する第二の圧縮段階と、
前記第二の圧縮段階で圧縮したデータを、所定のブロック単位が前記光学的記録媒体上で連続的につながるように、前記ピックアップを前記光学的記録媒体の第二の領域に移動する段階と、
前記第二の領域に移動したデータを記憶する段階と
からなることを特徴とする光学的記録方法。
（１２）  光学的に記録可能な光学情報記録媒体上に、デジタル信号を記録する光学的記録方法であって、
ピックアップを信号面にフォーカスするフォーカス制御段階と、
前記ピックアップをトラックにトラッキングするトラッキング制御段階と、
記録信号を所定のブロック単位で第一の圧縮レートで圧縮する圧縮段階と、
この圧縮時にデータの符号量を抽出する符号量抽出段階と、
この符号量を記憶する符号量記憶段階と、
圧縮した記録信号を一時記憶手段に記録する一時記憶段階と、
前記一時記憶手段に記憶されているデータ量を管理するデータ残量管理段階と、
前記ピックアップを前記光学的記録媒体の第一の領域に移動する段階と、
圧縮した記録信号を前記光学的記録媒体の前記第一の領域に記録するように制御する記録段階と、
前記一時記憶手段に格納している段階中に、前記ピックアップを前記光学的記録媒体の前記第一の領域に移動する段階と、
前記光学的記録媒体に格納された圧縮データを読み出す段階と、
前記符号量記憶段階で記憶された符号量に応じて、この圧縮データを前記第一の圧縮レートよりも同じあるいは高い圧縮レートで再度圧縮する第二の圧縮段階と、
前記第二の圧縮段階で圧縮したデータを、所定のブロック単位が前記光学的記録媒体上で連続的につながるように、前記ピックアップを前記光学的記録媒体の第二の領域に移動する段階と、
前記第二の領域に移動したデータを記憶する段階と
からなることを特徴とする光学的記録方法。
【発明の効果】
【０００９】
本発明によれば、光学情報記録媒体への記録時に、第１の一時記憶手段に１パス目のデータを格納している段階であって、光記録媒体の仮書き込みを行なっていない期間である空き時間に、２パス目のデータの再圧縮処理を行うので、略リアルタイムに、１つの記憶システムにて、２パス制御を行うことが出来、圧縮効率を最良にすることが出来る。また、光記録媒体への記録時に、所定の記録転送レートより高い（圧縮レートの低い）転送レートで１パス目のデータを格納し、記録再生を行なわない空き時間に２パス目のデータの再圧縮処理を行なうので、ユーザーの気付かない間に、１つの記憶システムにて２パス制御を行なうことが出来、圧縮効率を最良にすることができる。
【発明を実施するための最良の形態】
【００１０】
以下に、本発明に係る光学情報記録再生装置の一実施例を添付図面に基づいて詳述する。図１は本発明の光学情報記録再生装置の第１実施例を示すブロック構成図、図２は光記録媒体（光ディスク）内のセクタの概念を説明するための説明図である。まず、光記録媒体として代表される光ディスクＤの構成は、図２に示すようにこの記録面全体に同心円状、或いは螺旋状に多数のトラック（図示せず）が形成されており、図２では一例として半径の異なった位置の２つのトラックＴＲ１、ＴＲ２を示している。ここでは光ディスクＤは線速度（ＣＬＶ：Ｃｏｎｓｔａｎｔ  Ｌｉｎｅａｒ  Ｖｅｒｏｃｉｔｙ）が一定で回転制御されるので、内周側のトラックＡでは一周が例えば４つのセクタに分割設定され、外周側のトラックＢでは一周が例えば８つのセクタに分割設定されている。そして、回転周期は、後述するピックアップ手段が内周側のトラックＴＲ１に位置する時が４０ｍｓｅｃ、外周側のトラックＴＲ２に位置する時が８０ｍｓｅｃ程度である。尚、上述のようにトラックＴＲ１、ＴＲ２間或いはその内外周側にも多数のトラックが存在する。
【００１１】
次に、図１を参照して記録再生装置について説明する。図中、符号２は光ディスクＤを回転するスピンドルモータ、符号３は情報読み出し用のレーザ光を発生するレーザ発生部や光ディスクＤに照射されたレーザ光の反射光を検出する検出部を有する光ピックアップ部３であり、この光ピックアップ部３は駆動機構（図示せず）により光ディスクＤの半径方向へ一体的に移動される。符号４は、プリアンプ部であり、上記光ピックアップ部３により読み出した信号から再生信号とサーボ信号を、また、ＣＬＶ制御用の速度信号をそれぞれ生成する回路であり、これには、フォーカス信号生成回路、トラッキングエラー信号生成回路、再生信号生成回路、イコライザー回路、ＰＬＬ回路、速度信号生成回路等が含まれる。また、符号５はライトドライ部であり、記録時には記録すべき信号を光ピックアップ部３へ送る。符号６は、サーボブロック部であり、これにはフォーカス制御機能やトラッキング制御機能やスピンドル制御機能等が含まれる。符号７は、光ピックアップ部３やスピンドルモータ２の動作を行なうドライバ部であり、これはフォーカス制御、トラッキング制御及びスピンドル制御等を行なう。
【００１２】
符号８は、信号処理部であり、エンコーダ８Ａとデコーダ８Ａよりなる。ここでは、デコーダ８Ａが例えば再生信号をＥＦＭ（Ｅｉｇｈｔ  ｔｏ  Ｆｏｕｒｔｅｅｎ  Ｍｏｄｕｌａｔｉｏｎ）＋信号からＮＲＺＩデータにデコードしたり、デコードされた再生信号のエラー訂正処理を行なったり、セクタのアドレス信号とデータ信号を得る。この信号は可変転送レートで圧縮された信号である。符号９は、例えばＤＲＡＭよりなる２５６ＭＢ程度の記憶容量を持つ一時記憶手段であり、ここでは、内部を第１の一時記憶部（手段）９Ａと第２の一時記憶部（手段）９Ｂとに２つのエリアに分割して使用する。上記第１の一時記憶部９Ａは、記録すべき入力信号を第１の圧縮レートで圧縮した状態で一時的に記憶する。第２の一時記憶部９Ｂは、光ディスクＤから読み出した信号を一時的に記憶し、これにより可変転送ビットレートの時間軸の吸収を行なう。符号１０は、例えばＡ（オーディオ）−Ｖ（ビデオ）のエンコーダ・デコーダ部であり、これはＡＶエンコーダ１０ＡとＡＶデコーダ１０Ｂを有する。ＡＶデコーダ１０Ｂは上記圧縮データを伸長するデコード機能（再生時）を有し、ＡＶエンコーダ１０Ａは入力信号を圧縮するエンコード機能（記録時）を有している。ＡＶエンコーダ１０Ａは、エンコード時に用いる例えば６４ＭＢのＤＲＡＭよりなる一時記憶部１１を有し、また、ＡＶデコーダ１０Ｂはデコード時に用いる例えば１６ＭＢのＤＲＡＭよりなる一時記憶部１２を有している。
【００１３】
このＡＶエンコーダ１０Ａには、オーディオ信号を出力するスピーカ、ビデオ信号を出力するディスプレイが接続され、ＡＶデコーダ１０Ｂにはオーディオ信号を入力するマイクロフォン、ビデオ信号を入力するＣＣＤカメラ等が接続される。符号１１は上記第１の一時記憶手段９Ａ内に記憶されているデータ記憶量を監視する記憶量監視手段であり、符号１２は入力信号の圧縮時にデータの難易度を抽出して記憶する難易度抽出手段（抽出記憶手段）である。
【００１４】
ここで、難易度とは画像性質情報のことであり、その中での画像性質情報の一つとしては、例えば、入力画像の分散がある。ＭＰＥＧによる動画像圧縮では、２次元ＤＣＴ変換とハフマン符号化を組み合わせて圧縮するため、空間周波数の高い成分を多く含む画像では、圧縮効率が悪化する。このような画像では、画像振幅の分散が大きい。このような区間を含む動画像でも、動画像全体を通して均一な画質を保つためには、分散の大きい画像はより多い符号量になるように圧縮し、分散の小さい画像はより少ない符号量になるように圧縮するように、制御する必要がある。そのためには、まず、動画像全体を通して、各フレームの分散を求めてそれらの平均値を算出し、平均値より大きい分散を持つフレームは平均符号量よりも多い符号量を割り当て、平均値より小さい分散を持つフレームは平均符号量よりも少ない符号量を割り当てる必要がある。
【００１５】
また、画像性質情報の二つ目の性質情報としては、フレーム間の相関がある。ＭＰＥＧによる動画像圧縮では、隣接するフレーム間で輝度分布が似ている参照領域を探索し、この参照領域の空間的方位（動きベクトル）と、参照領域との輝度差（予測差分）を算出し、動きベクトルと予測差分を効能率圧縮することにより、圧縮効率を上げている。フレーム間相関が高い場合は、予測差分はほとんど発生しないため、より少ない符号量に圧縮することが可能であり、予測差分が大きい場合は、より多くの符号量が発生する。予測差分量を反映した符号量制御を行なうことにより、均一な画質を保つ圧縮情報を得ることができる。
【００１６】
また、画像性質情報の三つ目の性質情報としては、１次ビットストリームを画質が一定となるように圧縮し、その符号量を指標とする方法がある。ＭＰＥＧによる画像圧縮では、ＤＣＴ変換の結果得られるＤＣＴ係数を量子化係数と呼ばれる数値で除算して小数部を切り捨て、より小さい値に変換して圧縮する。量子化係数が大きい程圧縮によるひずみが大きくなるが、より高い圧縮率で圧縮することが可能である。量子化係数を一定に保って圧縮することにより、画質を均一に保った圧縮が可能となる。この場合、圧縮の結果得られるビットストリームの量は、入力画像の性質に依存し、空間周波数の高い成分を多く含む画像や、フレーム間相関の少ない画像では、大きなビットストリーム量に圧縮される。１次圧縮で必要とした各フレームの符号量と全体の符号量から、全体の符号量を目的の量に納めるための各フレームの割り当て符号量を算出し、２次ビットストリーム生成の際は、この値になるように符号量を制御する。符号１３はキー部であり、キー等で記録モード等の指令を入力する。符号１４は例えばマイクロコンピュータ等よりなるシステム制御部（制御手段）であり、この装置全体の動作を制御する。
【００１７】
次に、以上のように構成された記録再生装置の動作について説明する。まず、再生動作について説明する。キー部１３等により入力される再生開始，或いは記録開始の指令をシステム制御部１４が判断し、この指令に従って、信号処理部８やサーボブロック部６等を制御する。光ピックアップ部３により読み出された光ディスクＤの信号は、プリアンプ部４に入力されて、ここで再生信号とサーボ信号等を生成する。生成されたサーボ信号は、サーボブロック部６へ入力されて、これに基づいてドライバ部７を介してフォーカスドライブ信号及びトラッキングドライブ信号等が光ピックアップ部３のアクチュエータに供給され、それぞれの制御が行なわれる。これにより光ピックアップ部３の一巡のサーボ制御を行なう。
【００１８】
また、速度信号は、プリアンプ部４に含まれるＰＬＬ（Ｐｈａｓｅ  Ｌｏｃｋｅｄ  Ｌｏｏｐ）回路により得られるが、この速度信号は、サーボブロック部６へ送られてドライバ部７を介してドライブ制御信号を生成し、このドライブ制御信号によってスピンドルモータ２の回転を制御することによりＣＬＶ制御を行なっている。また、スピンドルモータ２の図示しないホール素子などの回転位置信号をサーボブロック部６へ帰還し、この信号から生成した速度信号から、一定回転のＦＧ（Ｆｒｅｑｕｅｎｃｙ  Ｇｅｎｅｒａｔｏｒ）制御も行なっている。また、再生信号はプリアンプ部４のイコライザーで周波数特性が最適化されてＰＬＬ（Ｐｈａｓｅ  Ｌｏｃｋｅｄ  Ｌｏｏｐ）回路にてＰＬＬがかけられ、また、ＰＬＬのビットクロックとデータの時間軸の比較から生成したジッタ値を持っており、このジッタ値に従って記録時の波形補正を行なう。
【００１９】
プリアンプ部４から出力される再生信号は、信号処理部８のデコーダ８Ｂにてデジタル信号に変換され、このデジタル信号からは、同期検出が行なわれて、これを基にしてディスク上のＥＦＭ＋信号からＮＲＺＩデータにデコードされる。このデコードされた信号は、エラー訂正処理を行なってセクタのアドレス信号とデータ信号を得る。このデータ信号は、可変転送レートで圧縮された信号、例えばＭＰＥＧ２であるので、これを一時的に一時記憶手段９（第２の一時記憶部９Ｂ）に記憶して可変転送レートの時間軸の吸収を行なう。この一時記憶手段９（９Ｂ）から読み出された信号は、エンコーダ・デコーダ部１０のＡＶデコーダ１０Ｂにより伸長されて、更にオーディオ信号とビデオ信号とに分離される。この時、光ディスクＤに記録されていたコントロールデータにより、種々の記録モードに対応して伸長する速度が決定され、これに従って伸長操作が行なわれる。そして、各信号はそれぞれ図示しないＤ／Ａ変換部によってアナログ信号に変換されて、音声信号と映像信号としてそれぞれ出力されることになる。
【００２０】
次に、本発明の特徴とする記録動作について説明する。図３は記録時の一時記憶手段９の第１の一時記憶部９Ａの制御の状態を示す概念図である。ここではデータ記憶量のフルが第１の記録基準値に対応し、エンプティが第２の記録基準値に対応する。本装置では入力信号を記録する場合に、最初に光ピックアップ部３のレーザースポットを光ディスクＤ上に照射して、信号トラックに予め設けられたアドレス信号を判読し、記録するべき目的セクタに光ピックアップ部３を移動したのち、キー部１３等の設定により、エンコーダ・デコーダ部１０のＡＶエンコーダ１０Ａに対して記録時の転送レートを設定する。例えば、記録モードとしては、原画像の入力信号として１０Ｍｂｐｓで入力されてきた画像信号を圧縮する場合に、高画質な転送レート８Ｍｂｐｓの記録時間２時間の２時間モード、やや高画質な転送レート４Ｍｂｐｓの記録時間４時間の４時間モード、普通画質な転送レート２Ｍｂｐｓの記録時間８時間の８時間モードが存在し、モードの選択が可能である。
【００２１】
また、光ディスクＤへの書き込みに際しては、光ディスクＤの回転数を記録時の入力信号の最大転送レート、例えばここでは８Ｍｂｐｓよりも高い転送レート、例えば１０Ｍｂｐｓになるように高い回転数にして光ディスクＤへの書き込み速度をその高い転送レートに固定しておく。また、記録したい画像の解像度や、カーレースなどのスピードの速いシーン等を取り分ける場合や、記録時間優先で設定するための、キー入力や外部からの制御データをシステム制御部１４が認識し、切り替え端子をもっていて、これにより記録時間を変更可能としてあり、ユーザーがキー部１３等から入力する。ここにおける記録時間の変更は、１パスＶＢＲ（バリアブルビットレート）で行われるが、ＣＢＲ（コンスタントビットレート）でも良い。ＶＢＲでは圧縮比率を大きくでき、転送レートを下げることが出来るが、１パスのため記録時間が一定に出来ないと言う問題があり、逆にＣＢＲでは転送レートをあまり下げることが出来ないが、記録時間が一定に出来るという長所もある。この中で、特に、転送レートが高い場合（８Ｍｂｐｓ等）はＣＢＲを用い、低い転送レート（２Ｍｂｐｓ等）ではＶＢＲを用いることが望ましい。
【００２２】
入力信号を出力する記録信号源としては、音声信号を入力するマイクロフォンや音声信号と映像信号を入力するビデオ装置等が用いられるが、これらに特に限定されるものではない。記録モードにおいて、エンコーダ・デコーダ部１０のＡＶエンコーダ１０Ａは各転送レートに対して設定可能な構成になっており、ユーザがこの転送レートを設定する。記録信号源から入力された記録すべき入力信号（音声信号と映像信号）はエンコーダ・デコーダ部１０のＡＶエンコーダ１０Ａにて６４ＭＢの一時記憶部２５を用いて例えばＭＰＥＧにコード化されて圧縮されて、この圧縮に対応する転送レートに従って第１の一時記憶部９Ａのフル（第１の記録基準値）とエンプティ（第２の記録基準値）をそれぞれ設定し、更に、信号処理部８のエンコーダ８Ａにてエラー訂正コード、アドレスコード、シンク信号等が付与されて第１の一時記憶部９Ａに一時的に記録される（ａ領域）。このデータをデータＸ１とする。この記憶データ量は記憶量監視手段１１により常時監視されており、この記憶データ量がフルになると、この第１の一時記憶部９Ａから順次データが読み出されてライトドライブ部５を介して光ピックアップ部３にて光ディスクＤに仮に書き込まれることになる（ｂ領域）。この第１の一時記憶部９Ａからの読み出しの間も第１の一時記憶部９Ａへは記録信号源側からの入力信号が圧縮されて継続的に書き込まれており、当然のこととして書き込み速度よりも読み出し速度の方が速い。
【００２３】
そして、第１の一時記憶部９Ａの記憶データ量がエンプティになると、この第１の一時記憶部９Ａからの読み出し及び光ディスクＤへの書き込みを禁止し、次に記録すべきセクタ位置にて光ピックアップ部３を位置させて、ここでキックを繰り返して待機する。この間にも第１の一時記憶部９Ａへの圧縮データの書き込みは継続して行なわれており（ｃ領域）、このデータをデータＸ２とする。そして、記憶データ量がフルになったならば、再度、第１の一時記憶部９Ａからのデータの読み出しを再開し、そして光ディスクＤへの仮の書き込みを記憶データ量がエンプティになるまで行なう（ｄ領域）。以後、同様にして第１の一時記憶部９Ａ内の記憶データ量はフルとエンプティを繰り返しながら光ディスクＤへの仮の書き込みが間欠的に行われて行く。尚、ｅ領域ではデータＸ３が記憶されている。
【００２４】
図３（Ａ）は、入力信号の転送レートが２Ｍｂｐｓの場合を示し、ａ領域での第１の一時記憶部９Ａへの書き込み速度は、２Ｍｂｐｓで書き込まれ、ｂ領域では、光ディスクＤへの仮の書き込み速度（転送レート）が１０Ｍｂｐｓであるから、第１の一時記憶部９Ａからは１０−２＝８Ｍｂｐｓの速度（転送レート）で、データが読みだされる。図３（Ｂ）では入力信号の転送レートが４Ｍｂｐｓの場合を示し、ａ領域での第１の一時記憶部９Ａへの書き込み速度は、４Ｍｂｐｓで書き込まれ、ｂ領域では、光ディスクＤへの仮の書き込み速度（転送レート）が１０Ｍｂｐｓであるから、第１の一時記憶部９Ａからは１０−４＝６Ｍｂｐｓの速度（転送レート）で、データが読みだされる。図３（Ｃ）は入力信号の転送レートが８Ｍｂｐｓの場合を示し、ａ領域での第１の一時記憶部９Ａへの書き込み速度は、８Ｍｂｐｓで書き込まれ、ｂ領域では、光ディスクＤへの仮の書き込み速度（転送レート）が１０Ｍｂｐｓであるから、第１の一時記憶部９Ａからは１０−８＝２Ｍｂｐｓの速度（転送レート）で、読みだされる。
【００２５】
上記３つのケース場合において、光ディスクＤへの記録時の転送レートである１０Ｍｂｐｓに対して、一時記憶部９Ａへの入力信号の転送レートを２、４、８Ｍｂｐｓと低く設定してあるため、ａ、ｃ、ｅ領域の光ディスクＤへの書き込み開始までの待機状態の間、入力信号は一時記憶部９Ａへ連続的に記録が行える。以上の説明は、１パス可変転送レート（ＶＢＲ）の説明である。つまり、入力信号の信号の性質にあまり関係なく、例えば平均転送レートが２Ｍｂｐｓになるように制御するので、動きの多いスポーツの映像や、シーンの変化が多い映像では、破綻が生じたり、また、それでもＶＢＲにより、動きの多いシーンに大きなビットレートを割り当てると、結果的に全体の転送レートが高くなり、記録領域として多くの容量を必要とし、光ディスク全体の記録時間を効率的に管理出来なくなる問題も生じる。これは、特に入力信号に対して、高い圧縮率を設定した場合に発生し易い。例えば、上記の例（動きの多いスポーツの映像やシーンの変化が多い映像）で転送レートを８Ｍｂｐｓと設定した場合は、圧縮率が小さいので、映像信号に破綻を来すようなことは少なく、１パスのＶＢＲの記録でも画質によっては、十分満足でき、場合によっては、ＶＢＲでは無く、ＣＢＲ（コンスタントビットレート）でも良い。一方、２Ｍｂｐｓと設定した場合は、圧縮率が大きいので特に無理に圧縮するということもあり破綻の可能性が高くなる。
【００２６】
そこで、本実施例では、上記破綻を防ぐために本発明の特徴とする２パス制御を行なう。上述した問題点の通り２Ｍｂｐｓの方が、１パスＶＢＲでの映像信号の破綻の問題点が大きいので、上記第１の一時記憶部９Ａの制御の説明でも分かるように、記録中に第１の一時記憶部９Ａに記録してる期間であって光ディスクＤに記録していない空き時間、例えば図３中のａ、ｃ、ｅ期間があるので、この期間を利用して、２パス制御を行う説明をする。この２パス制御では、図３に示すような状態で光ディスクＤに仮に記録されたデータを読み出してこの読出信号を再圧縮して、再度、光ディスクＤに書き込むことになる。図４は第１の一時記憶部９Ａと第２の一時記憶部９Ｂのデータ記憶量の変化を示すグラフであり、図５は光ディスクＤ上における記録トラックを模式的に示す図であり、図６は光ディスク上における記録データの配列を模式的に示す図である。ここで図４（Ａ）は図３（Ａ）、（Ｂ）、（Ｃ）の各グラフに対応して第１の一時記憶部９Ａのデータ記憶量の変化を示すものであり、図４（Ｂ）は第２の一時記憶部９Ｂのデータ記憶量の変化を示している。尚、図４（Ａ）では、一例として図３（Ａ）を代表させてタイミング等を記載している。また、図５（Ａ）及び図６（Ａ）は１パス目（仮書き込み）における光ディスクのトラック上の記録走査状態を示し、図５（Ｂ）、（Ｃ）及び図６（Ｂ）は２パス目（本書き込み）途中における光ディスクのトラック上の記録状態を示す。
【００２７】
まず、キー部１３等の入力データによりシステム制御部１４がマルチ記録モードの中で例えば２Ｍｂｐｓのモードを設定すると、このモードをＡＶエンコーダ１０Ａに設定する。この状態で、記録すべき映像信号等（入力信号）がＡＶエンコーダ１０Ａに入力されると、このＡＶエンコーダ１０Ａは、この１つの映像信号に対してＭＰＥＧ２の圧縮処理を行うために、難易度抽出手段１２は映像信号の画像情報性質の分析を行なって難易度を求める。ここで画像情報性質の分析方法の一例は、先の特開平１０−９８７１０号公報にも示されており、例えばフレーム間の相関を求めるものとして、ＭＰＥＧによる動画像圧縮では、隣接するフレーム間で輝度分布が似ている参照領域を探索し、この参照領域の空間的方位（動きベクトル）と、参照領域との輝度差（予測差分）を算出し、動きベクトルと予測差分を高能率圧縮するようにしたものがある。そして、この分析結果（難易度）と、前記の２Ｍｂｐｓよりも大きい８Ｍｂｐｓの転送レートに対応した、量子化スケールにて、ＭＰＥＧ方式における一つのＧＯＰ（group  of  picture）単位の圧縮データを６４ＭＢの一時記憶部２５を用いて生成する。この圧縮データの画像情報性質を例えばＡＶエンコーダ１０Ａに記憶する。ここでは例えば、先の特開平１０−９８７１０号公報にも表示されているようにＭＰＥＧに基づいて、１つのＧＯＰを形成する圧縮データ（Ｉピクチャー、Ｐピクチャー、Ｂピクチャーのフレームからなる）を生成する。そして、１ＧＯＰ単位又はそれ以上の単位（以降、１ブロックとする）で、この圧縮データをＡＶエンコーダ１０Ａは信号処理部８のエンコーダ８Ａを介して第２の一時記憶部９Ｂに転送する。
【００２８】
尚、ここでの設定は２Ｍｂｐｓの転送レートによって、２パスの制御を行っているが、光ディスクＤの空き領域や、ユーザーの設定や、自動検出等で１パスと２パスの制御を適当にきり変えるようにしてもよい。２パス制御を図４も参照して説明する。信号処理部８のエンコーダ８Ａでは、ＡＶエンコーダ１０Ａで圧縮されたデータを一旦第２の一時記憶部９Ｂに蓄える。そして、ここに蓄えられた圧縮データを光ディスクＤに記録（仮書き込み）するために、ＥＦＭ＋のフォーマットに変換し、エラー訂正コードの付加、シンク等の付加を行い、セクター単位のデータとして、光ディスクＤに記録する。この点は、前述した通りである。前記した第１の一時記憶部９ＡではタイミングＴ１（エンプティ）からＴ２（フル）までデータＸ１を記録し、Ｔ２（フル）からＴ３（エンプティ）までのタイミングで、光ディスクＤのＡ地点の所定のトラックの所定のセクターからＢ地点までに第１の一時記憶部９Ａから読み出したデータＸ１を仮に書き込む。次に第１の一時記憶部９ＡにデータＸ２がたまるまで（Ｔ３からＴ４）、光ピックアップ部３は次に記録するＢ点でキック状態で待ち、キック操作を繰り返している。そして、データＸ２が第１の一時記憶部９Ａにたまると（Ｔ４（フル）となると）、タイミングＴ４からＴ５（エンプティ）までに光ディスクＤのＢ点からＣ点までデータＸ２を仮に書き込み、また、Ｔ１０においてデータＸ３が同様にたまると、タイミングＴ１０からＴ１１までに光ディスクＤのＣ点からＤ点までデータＸ３を仮に書き込む。以下同様に行なわれる。従って、図５（Ａ）に示すように螺旋のトラックでＡ，Ｂ，Ｃ，Ｄ地点と言うようにデータが仮に記録されていく。
【００２９】
ここで上記のように、それぞれのブロック単位の圧縮データＸ１〜Ｘ３に対応した、画像情報性質から圧縮の難易度を分析した結果を、各ブロックの結果の加算したブロック数と加算平均値として計算する。そして、この結果の値が所定ブロック量に達した段階で、第２の一時記憶部９Ｂの一時記憶動作を開始する。第２の一時記憶部９Ｂの制御は、図４（Ｂ）では、データＸ２の光ディスクＤへの仮記録が終了した時点Ｔ５から行われる。この時は光ピックアップ部３はＣ地点のトラックでヘッドキックを繰り返している状態であって、所定のブロック値に達したとして（実際には、この仮書き込みの時間は長い時間を用いる）、この時の難易度から、本来記録すべき転送レート２Ｍｂｐｓにするための、量子化スケールが決定される。この値に基づいて、前記したように簡易的（仮に）に８Ｍｂｐｓで光ディスクＤへ仮記録しておいたデータＸ１を、再生するために、光ピックアップ部３をＣ地点からタイミングＴ６でＡ地点に移動する。そして、Ａ地点のセクターからＢ地点（タイミングＴ７）のセクターまで、信号を再生して読み出し、プリアンプ部４、デコーダ８Ｂを介してこの読出信号を第２の一時記憶部９Ｂに一時記録する。この読出信号データは８Ｍｂｐｓのデータであるから、これを再度２Ｍｂｐｓに変換するために、以下の３つの方法のように再圧縮されることになる。
【００３０】
＜第１の方法＞例えば図１中の［丸１］で示す経路では、前記したように、第２の一時記憶部９Ｂにたまった８ＭｂｐｓのデータＸ１を、デコーダ８Ｂ、ＡＶエンコーダ１０Ａに転送し、このＡＶエンコーダ１０Ａにて、量子化スケールを書き換えて再圧縮する。
＜第２の方法＞図１中の［丸２］で示す経路では、データＸ１をＡＶデコーダ１０Ｂに転送し、このＡＶデコーダ１０Ｂにて、データＸ１の一部のデータのみをデコードし、そのデータをＡＶエンコーダ１０Ａに転送し、このＡＶエンコーダ１０Ａにて、量子化スケールを書き換えて再圧縮する。
＜第３の方法＞図１中の［丸３］で示す経路では、データＸ１をＡＶデコーダ１０Ｂに転送し、このデコーダ１０Ｂにて、データＸ１のデータを全てデコードし、そのデータをＡＶエンコーダ１０Ａの入力側へ転送し、このＡＶエンコーダ１０Ａにて、量子化スケールを書き換えて再圧縮する。
これによって、２Ｍｂｐｓに圧縮されたデータＸ１をエンコーダ８Ａにて、第２の一時記憶部９Ｂに格納出来たので、この間に、光ピックアップ部３を次に記録すべきＡ地点に移動し、前に記録してあった８Ｍｂｐｓのデータに、上書き記録、すなわち本書き込みを行う。ここで、データＸ１は２Ｍｂｐｓのデータに変換されているので、終了位置は、螺旋にあるように位置がＢ点からＢ’点に移動している（図５（Ｂ）参照）。次に、第１の一時記憶部９Ａが所定量（フル）になった段階で（タイミングＴ１０）、光ピックアップ部３は、Ｃ点に移動し、データＸ３を光ディスクＤに仮書き込みする。以下、この操作を繰り返すことにより、２パスＶＢＲの記録を行うことが出来る。
【００３１】
第２の一時記憶部９Ｂの２回目の場合は、ディスクのＢ地点からＣ地点のデータＸ２を、Ｂ’地点からＣ’地点に本記録するというように、順次位置を変更しながら記録する。このため、現在の記録アドレス管理と２パス用のアドレス管理も同時に行う必要がある。このように、光ディスクを初めて使用する場合、０アドレスであっても、途中のアドレスからであっても、２つのアドレスを管理しながら、例えばＡアドレスから、連続的にデータが連続するように、リンキングを行ないながら間欠的に記録を行う事により、また、好ましくは、１パス目と２パス目のデータを重ね書きして記録していくことにより、光ディスクのデータ領域を有効に記録でき、かつ、トラック間の移動時間を短時間で済み、効率の良い２パス記録を行うことができる。
【００３２】
この時の光ディスクのトラック上の記録状態は、図６（Ａ）、（Ｂ）に示すように１パスデータａ、ｂ、ｃ…が２パスデータの時に再圧縮されて記録されて行く。上記操作をまとめると、タイミングＴ６からＴ７の間にデータＸ１を光ディスクＤ１から読み出し、この読出信号をタイミングＴ７からＴ８の間に再圧縮してこのデータを第２の一時記憶部９Ｂに一時的に記憶させ、更に、このデータＸ１をタイミングＴ８からＴ９の間に第２の一時記憶部９Ｂから読み出して光ディスクＤに本書き込みしている。尚、上記一連の処理は、タイミングＴ５からＴ１０の間に行なわれることに注意されたい。同様に、タイミングＴ１２からＴ１３の間にデータＸ２を光ディスクＤ１から読み出し、この読出信号をタイミングＴ１３からＴ１４の間に再圧縮してこのデータを第２の一時記憶部９Ｂに一時的に記憶させ、更に、このデータＸ２をタイミングＴ１４からＴ１５の間に第２の一時記憶部９Ｂから読み出して光ディスクＤに本書き込みしている。この時、光ディスクＤ上に記録される再圧縮データは、連続するように記録する。また、この一連の処理はタイミングＴ１１からＴ１６の間に行なわれている点に注意されたい。以下同様な処理が繰り返し行われて行くことになる。
【００３３】
尚、タイミングＴ７−Ｔ８の間、Ｔ１３−Ｔ１４の間では、第２の一時記憶部９Ｂからデータを転送する場合と再圧縮したデータを格納する場合が交錯するので、これを分かり易く示すために、記憶データ量を交錯させて記載している。尚、この場合、この圧縮処理をエンコーダ・デコーダ部１０の一時記憶部１１、１２を用いて行なって分割処理するようにしてもよい。ここで、以上の一連の動作を、図７に示すフローチャートを参照して総括的に説明する。まず、外部信号を第１の圧縮レートで圧縮して、この圧縮データを第１の一時記憶部９Ａに記憶し（Ｓ１）、この圧縮時に、難易度抽出手段１２は記録ブロックの性質データを積算して圧縮の難易度を求めておく（Ｓ２）。
【００３４】
そして、この時の記録ブロックを積算し（Ｓ３）、この積算値が所定量になっていない時は、Ｓ７に進んで第１の一時記憶部９Ａがフルになったか否かを判断する（Ｓ７）。そして、フルになっていない時には、Ｓ１に戻り、上記Ｓ１〜Ｓ４を繰り返す。また、Ｓ７においてフルになったならば、上記第１の一時記憶部９Ａのデータを光ディスクＤに仮に記録する（Ｓ８）。そして、この仮記録の操作をエンプティになるまで行なう（Ｓ９）。そして、記録すべきデータが有れば再度Ｓ１へ戻る。また、Ｓ４において、記録ブロックが所定量になったならば、光ディスクの所定の領域に行き、仮記録した先のデータを読み出して、これを第２の一時記憶部９Ｂに記憶する（Ｓ２）。そして、この第２の一時記憶部９Ｂのデータを第２の圧縮レートで再圧縮し、この再圧縮データを光ディスクＤの再圧縮データ領域に、先の再圧縮データと連続するように記録する（Ｓ７）。このように、Ｓ１〜Ｓ１０の一連の動作を繰り返し行ない、Ｓ１０にて、記録すべきデータがなくなったならば処理を終了する。
【００３５】
上記実施例１では１つのブロックのデータを第１の一時記憶部９Ａへ圧縮しつつ記憶している間に、１つのブロックのデータを第２の一時記憶部９Ｂを用いて再圧縮しているが、この時複数のブロックのデータを再圧縮するようにしてもよい。図８はこの変形例の時の第１の一時記憶部と第２の一時記憶部のデータ記憶量の変化を示しており、ここでは例えば１つのデータブロック、すなわちデータＸ４を第１の一時記憶部９Ａへ記憶している間に、先に仮書き込みした２つのデータブロック、すなわち光ディスクＤ上のＡ−Ｂ区間及びＢ−Ｃ区間のデータＸ１及びＸ２を光ディスクＤ１から読み出して、第２の一時記憶部９Ｂへ記憶し、それぞれを再圧縮して光ディスクＤ１へ本書き込みするようにしている。尚、図８では、データＸ４の仮書き込みの部分を時間的に拡大して示している。
【００３６】
このように、例えば、１つのブロックのデータを圧縮する際に、２つのブロックを再圧縮することより、例えば１００のデータを圧縮する際に、５０のデータを仮記録し、この５０のデータの性質を抽出した段階で再圧縮レートを決定し、再圧縮を開始する事により、２パス制御に近い効果が得られ且つ、残りの５０のデータの仮記録時間で、圧縮と再圧縮がほぼ同時に終了するので、リアルタイムに２パス制御が実現出来る。ここでは、１つのブロックを圧縮する際に、２つのブロックを再圧縮することを説明したが、３つ以上にすることによって、より２パス技術に近くなり、圧縮効率を上げることが出来る。また、これによりディスクの利用効率を上げることが出来る。
【００３７】
また、再圧縮を行うタイミングは、所定のデータがたまった時点を開始タイミングとした場合を説明したが、例えばタイマ手段を持ち、所定の時間が経過した時点を開始時点としてもよいし、ディスクの空き領域を管理する管理手段を持ち、ディスクの空き領域に応じて、開始時点を決定しても良い。つまり、２パスでの制御では、１パス目の仮記録のデータ領域として、最終的な２パスの本記録のデータ領域より多くのデータ領域をディスク上で必要とするので、ディスクの空き領域に空きの少ない場合は、所定の量よりも早めに２パスの制御を開始することで、この問題を解決することができる。尚、この方法では、一旦圧縮したデータを再圧縮する事から、一時圧縮後からトータルの記録終了までの時間が多少延びることがあるが、これを最小にすることが出来る。また、第１の一時記憶部９Ａ、第２の一時記憶部９Ｂ、一時記憶部２５の記録手段は１つの記録手段を分割して用いてもよい。
【００３８】
次に、本発明の第２実施例について説明する。上記第１実施例では、入力信号を第１の一時記憶部９Ａへ記憶している時であって、この記憶内容を光ディスクＤに記録していない光ピックアップ部の空き時間を利用して、２パス制御を行なったが、この第２実施例では、例えば２Ｍｂｐｓ等の低転送レートで、記録または再生を行っていない空き時間例えば、休憩時間や夜間等の時間を利用して２パス制御を行なうものである。図９は本発明装置の第２実施例を示すブロック構成図、図１０は第１の一時記憶部と第２の一時記憶部のデータ記録量の変化を示すグラフ、図１１は光ディスク上の管理領域データを示す図である。図９に示すように、この第２実施例の装置は、前記図１に示す第１実施例の装置に、データの圧縮レートを決定する圧縮レート決定手段２０と、光ディスクＤに対する記録再生が所定の時間行われないことを検出するタイマ手段２１を付加した点を除き、図１に示す装置と全く同様に構成されている。
【００３９】
先の第１実施例において、図３に示すように、入力信号を圧縮して第１の一時記憶部９Ａに一時的に記憶し、更に、これを読み出して光ディスクＤへ仮に書き込む動作を間欠的に行なう動作は、この第２実施例においても全く同様に行なわれるので、ここではその説明を省略する。尚、上記圧縮動作では、圧縮レート決定手段２０で決定された圧縮レートよりも低い第１の圧縮レートで圧縮が行なわれる。上記動作に加えて、この第２実施例においては、ＡＶエンコーダ１０Ａにてデータを圧縮する時に、難易度抽出手段１２は画像情報性質から圧縮の難易度を分析して抽出し、これと共にこの記録情報をアドレスとデータに対応して上記難易度と共に、管理領域のデータを生成して、図１１に示すように記憶しておく。また、最終的に２Ｍｂｐｓで記録した管理情報も同様に記憶しておく。
【００４０】
ここでは、第２の一時記憶部９Ｂの制御動作は、光ディスクＤへの一連の仮書き込み（仮記録）が終了した段階で、且つ、次の記録再生のためのコマンドが所定の時間入力されなかったことを条件に、開始される。このコマンドが所定の時間入力されないことの判断はタイマ手段２１により行なわれる。この処理はタイマによる時間管理だけでなく、例えば外部入力による本装置の非選択状態の判断によったり、絶対時間、例えば夜中の３時から５時まで等で設定可能である。図１０に示すグラフでは、データＸ２の光ディスクへの仮記録が終了した時点Ｔ５から、タイマスタートを設定し所定の時間内に記録再生コマンドが入力されなかったことをタイマ手段２１が判断すると、第２の一時記憶部９Ｂの制御動作が行なわわれている。この時は光ピックアップ部３はＣ地点のトラックでヘッドキックを繰り返して止まっていて、タイマ手段２１が所定の時間を計測したならば、この時の難易度から、本来記録すべき転送レート２Ｍｂｐｓにするための、量子化スケールが決定される。この値に基づいて、前記したように簡易的（仮に）に８Ｍｂｐｓで記録しておいたデータＸ１を、再生するために、光ピックアップ部３をＣ地点からタイミングＴ６でＡ地点に移動する。そして、Ａ地点のセクターからＢ地点（タイミングＴ７）のセクターまで、信号を再生して読み出し、この読出信号を第２の一時記憶部９Ｂに一時記録する。この読出信号データは８Ｍｂｐｓのデータであるから、これを再度２Ｍｂｐｓに変換するために、再圧縮されることになる。この時の再圧縮の経路は図１中において［丸１］、［丸２］、［丸３］の経路について説明したと同様な方法で行なわれる。
【００４１】
これによって、第１実施例の場合と同様に２Ｍｂｐｓに圧縮されたデータＸ１をエンコーダ８Ａにて、第２の一時記憶部９Ｂに格納出来たので、この間に、光ピックアップ部３を次に記録すべきＡ地点に移動し、前に記録してあった８Ｍｂｐｓのデータに、上書き記録、すなわち本書き込みを行う。ここで、データＸ１は２Ｍｂｐｓのデータに変換されているので、終了位置は、螺旋にあるように位置がＢ点からＢ’点に移動している（図１０（Ｂ）参照）。次に、タイミングＴ１２で光ピックアップ部３はディスクのＢ地点に行き、仮記録してあったデータＸ２をＣ地点まで読み出す。そして、このデータを再圧縮してＢ’−Ｃ’地点にタイミングＴ１４−Ｔ１５の間で本記録する。以下、この操作を繰り返すことにより、２パスＶＢＲの記録を行うことが出来る。
【００４２】
第２の一時記憶部９Ｂの２回目の場合は、ディスクのＢ地点からＣ地点のデータＸ２を、Ｂ’地点からＣ’地点に本記録するというように、順次位置を変更しながら記録する。このため、現在の記録アドレス管理と２パス用のアドレス管理も同時に行う必要がある。このように、光ディスクを初めて使用する場合、０アドレスであっても、途中のアドレスからであっても、２つのアドレスを管理しながら、例えばＡアドレスから、連続的にデータが連続するように、間欠的に記録を行う事により、また、好ましくは、１パス目と２パス目のデータを重ね書きして記録していくことにより、光ディスクのデータ領域を有効に記録でき、かつ、トラック間の移動時間を短時間で済み、効率の良い２パス記録を行うことができる。
【００４３】
ここで、以上の一連の動作を、図１２に示すフローチャートを参照して総括的に説明する。まず、記録すべき外部信号を入力したら、これを圧縮し、第１の一時記憶部９Ａに一時的に記憶し（Ｓ２１）、この時、記録ブロックの性質データを積算して難易度を抽出し、圧縮レートを決定する（Ｓ２２）。上記Ｓ２１、Ｓ２２は第１の一時記憶部９Ａの記憶量がフルになるまで行なわれ（Ｓ２３）、フルになったならば、第１の一時記憶部９Ａのデータを読み出して光ディスクＤに仮記録（仮書き込み）する（Ｓ２４）。この仮記録は第１の一時記憶部９Ａがエンプティになるまで行なわれ（Ｓ２５）、エンプティになったならば記録の終了か否か判断され（Ｓ２６）、終了でないならばＳ１へ戻る。
【００４４】
ここで記録の終了ならば、タイマ手段２１がスタートして時間の計測を開始し（Ｓ２７）、記録再生コマンドが入力されたか否かが判断される（Ｓ２８）。記録再生コマンドが入力されたならば、タイマ手段２１をリセットして（Ｓ２９）、Ｓ１へ戻る。記録再生コマンドが入力してくることなく所定の時間が経過したならば（Ｓ３０）、光ディスクＤから先に仮記録したデータを読み出してこの読出信号を第２の一時記憶部９Ｂへ一時的に記憶する（Ｓ３１）。そして、この読み出したデータを、上記難易度に基づいて再圧縮して第２の一時記憶部９Ｂへ一時的に記憶する（Ｓ３２）。更に、この再圧縮したデータを読み出して光ディスクＤに本書き込みをして本記録する（Ｓ３３）。そして、この再圧縮の処理（Ｓ３０−Ｓ３３）を、仮記録のデータを全て読み出すまで行ない（Ｓ３４）、仮記録のデータを全て読み出したならば処理を終了することになる。
【００４５】
尚、この第２実施例においては、発明の理解を容易にするために、第１の一時記憶部９Ａと第２の一時記憶部９Ｂを分離した状態で説明したが、両記憶部９Ａ、９Ｂを同一のメモリとして兼用させるようにしてもよい。更に、前記第１及び第２実施例では、第１及び第２の一時記憶部９Ａ、９Ｂについて２５６ＭＢのＤＲＡＭよりなる一時記憶部９を分けて説明したが、１つのＤＲＡＭ等をメモリを分割して使用する場合に限らず、混在させて使用してもよいし、２つ以上のメモリを割り当てて分担して使用するようにしてもよい。また、第１の一時記憶手段９Ａ、第２の一時記憶手段９Ｂ及び一時記憶手段２５の記録手段は、１つの記録手段を分割して用いるようにしてもよい。尚、以上の実施例にあっては１枚のデータ面上での処理として説明したが、多層のディスクの複数の信号面を用いて仮データと本データの記録再生を行なってもよい。
【図面の簡単な説明】
【００４６】
【図１】本発明の光学情報記録再生装置の第１実施例を示すブロック構成図である。
【図２】光記録媒体（光ディスク）内のセクタの概念を説明するための説明図である。
【図３】記録時の一時記憶手段の第１の一時記憶部９Ａの制御の状態を示す概念図である。
【図４】第１の一時記憶部と第２の一時記憶部のデータ記憶量の変化を示すグラフである。
【図５】光ディスク上における記録トラックを模式的に示す図である。
【図６】光ディスク上における記録データの配列を模式的に示す図である。
【図７】本発明装置の第１実施例の動作を示すフローチャートである。
【図８】本発明装置の第１実施例の変形例の第１の一時記憶部と第２の一時記憶部のデータ記憶量の変化を示す図である。
【図９】本発明装置の第２実施例を示すブロック構成図である。
【図１０】第１の一時記憶部と第２の一時記憶部のデータ記録量の変化を示すグラフである。
【図１１】光ディスク上の管理領域データを示す図である。
【図１２】本発明装置の第２実施例の動作を示すフローチャートである。
【符号の説明】
【００４７】
３…光ピックアップ部、４…プリアンプ部、５…ライトドライブ部、６…サーボブロック部、８…信号処理部、８Ａ…エンコーダ、８Ｂ…デコーダ、９…一時記憶手段、９Ａ…第１の一時記憶部（第１の一時記憶手段）、９Ｂ…第２の一時記憶部（第２の一時記憶手段）、１０…エンコーダ・デコーダ部、１０Ａ…ＡＶエンコーダ、１０Ｂ…ＡＶデコーダ、１１…記憶量監視手段、１２…難易度抽出手段（抽出記憶手段）、１４…システム制御部（制御手段）、２０…圧縮レート決定手段、２１…タイマ手段、Ｄ…光ディスク（光情報記録媒体）。
【図１】
2004265577.tif 000003
【図２】
2004265577.tif 000004
【図３】
2004265577.tif 000005
【図４】
2004265577.tif 000006
【図５】
2004265577.tif 000007
【図６】
2004265577.tif 000008
【図７】
2004265577.tif 000009
【図８】
2004265577.tif 000010
【図９】
2004265577.tif 000011
【図１０】
2004265577.tif 000012
【図１１】
2004265577.tif 000013
【図１２】
2004265577.tif 000014